(57)【要約】【課題】斬新で人目を引く装飾体を提供する。【解決手段】装飾体１が、軸回りに回転駆動する駆動体１０と、駆動体１０に支持されて軸周りに回転するフレーム体２０と、フレーム体２０内に吊り下げられる被吊り下げ物３０と、を備える。フレーム体２０は、複数の縦フレーム２１と複数の横フレーム２５とが相互に結合されてグローブジャングルジムに模した形を呈して、複数の格子窓を有する。ＬＥＤライト４０がフレーム体２０に列を成して配置されているとよい。【選択図】図１
0003189481.tif 000002
【実用新案登録請求の範囲】
【請求項１】
フレーム体と、該フレーム体を軸回りに回転駆動するように該フレーム体を支持する駆動体と、前記フレーム体内に吊り下げる被吊り下げ物と、を備える、装飾体。
【請求項２】
前記フレーム体は、縦フレームと横フレームとが相互に結合されてなり、複数の格子窓を有する、請求項１に記載の装飾体。
【請求項３】
前記縦フレームは円弧状のフレーム片を上下で連結して軸周りに間隔をあけて配置してなり、前記横フレームは複数の円環状のフレームを前記軸方向に互いに離隔して配置してなる、請求項２に記載の装飾体。
【請求項４】
さらに、ＬＥＤライトが前記フレーム体に列を成して配置されている、請求項１乃至３の何れかに記載の装飾体。
【考案の詳細な説明】
【技術分野】
【０００１】
本考案は、人目を引く装飾体に関する。
【背景技術】
【０００２】
事業を営む会社、商店、社交場などは、広告や看板を用いて人目を引くよう工夫している。人目を引くためには、静的な媒体よりも動的な媒体の方が人を惹き付け誘惑する効果が高い。そのため、人や動植物の形をした装飾体をその動きに合わせて動かしてあたかも生きているイメージを顧客に植え付けている。
【考案の概要】
【考案が解決しようとする課題】
【０００３】
しかしながら、装飾体を単に生き物のように動作させるだけではその魅惑効果は十分ではない。そこで、本考案では、さらに斬新で人目を引く装飾体を提供することを目的とする。
【課題を解決するための手段】
【０００４】
上記目的を達成するために、本考案に係る装飾体は、フレーム体と、フレーム体を軸回りに回転駆動するようにフレーム体を支持する駆動体と、フレーム体内に吊り下げされる被吊り下げ物と、を備えることを特徴とする。
【０００５】
上記構成において、フレーム体は、縦フレームと横フレームとが相互に結合されてなり、複数の格子窓を有することが好ましい。
【０００６】
上記構成において、縦フレームは円弧状のフレーム片を上下で連結して軸周りに間隔をあけて配置してなり、横フレームは複数の円環状のフレームを軸方向に互いに離隔して配置してなることが好ましい。
【０００７】
上記構成において、さらに、ＬＥＤライトがフレーム体に列を成して配置されていることが好ましい。
【考案の効果】
【０００８】
本考案によれば、フレーム体内に被吊り下げ物を吊り下げ、駆動部を回転駆動させることでフレーム体と被吊り下げ物とが一体となって回転する。フレーム体と被吊り下げ物の各形状や寸法を適宜設定することにより、自由度の高く斬新な装飾体を提供することができる。
【図面の簡単な説明】
【０００９】
【図１】本考案の実施形態に係る装飾体の正面図である。
【図２】図１に示す装飾体の平面図である。
【図３】図１に示す装飾体の一部縦断面図である。
【考案を実施するための形態】
【００１０】
以下、本考案の実施形態について図面を参照しながら詳細に説明する。図１は本考案の実施形態に係る装飾体１の正面図であり、図２は装飾体１の平面図、図３は装飾体１について一部分を断面で示した図である。
【００１１】
本考案の実施形態に係る装飾体１は、軸回りに回転駆動する駆動部１３を備えた駆動体１０と、駆動体１０に支持されて軸周りに回転するフレーム体２０と、フレーム体２０内に吊り下げられる被吊り下げ物３０と、を備える。すなわち、装飾体１は、フレーム体２０と、フレーム体２０を軸回りに回転駆動するようにフレーム体２０を支持する駆動体１０と、フレーム体２０内に吊り下げされる被吊り下げ物３０と、を備える。
【００１２】
図示した形態では、駆動体１０は、プレート１１の上に円筒状の支持部１２を備え、支持部１２内にはモータ４１が収容されており、支持部１２上に駆動部１３が設けられ、モータ４１の駆動軸によって駆動部１３が回転可能に支持されている。支持部１２の外周面、駆動部１３の内周面の何れか一方には駆動部１３を回転自在に支持するように円環状の係合部１２ａなどが設けられている。
【００１３】
フレーム体２０は、例えば、複数の縦フレーム２１と複数の横フレーム２５とが相互に結合されて全体が球状に構成されており、複数の格子窓を有している。フレーム体２０は図示したように略球型を呈しているが、ラグビーボールのような楕円体型でも高層ビルのような直方型を呈してもよい。何れの型でも壁は存在せず枠だけで構成されており、内部が空洞となっている。縦フレーム２１、横フレーム２５は、MDF(Medium Density Fiberboard)と呼ばれる中密度繊維板加工材やプラスチックなどの材料で作製される。
【００１４】
縦フレーム２１は、図３に示すように、複数の同一形状及び同一寸法の円弧状のフレーム片２２ａ，２２ｂが上下の連結部２３ａ，２３ｂによって連結され、あたかも地球儀の経線を呈して円環状のフレーム２２を形成している。円環状のフレーム２２は軸の周りに例えば等間隔に配置されている。連結部２３ａ，２３ｂは、軸に対して放射状に凹部２３ｃが設けられ、各凹部２３ｃに円弧状のフレーム２２ａ，２２ｂの上端部、下端部が挿入されて、螺子等の締結具（図示せず）により止められる。
【００１５】
横フレーム２５は、複数の円環状のフレーム２６，２７を互いに軸方向に離隔して配置されている。フレーム２６は、上下の連結部２３ａ，２３ｂから等距離にあって、あたかも地軸が鉛直方向に向いた地球儀における赤道に相当する。上及び下の各円環状のフレーム２７，２７はフレーム２６と連結部２３ａ，２３ｂとの間に位置し、フレーム２６よりも径が小さい。すなわち、上下のフレーム２７は中央のフレーム２６と比べて小さな半径寸法を有している。フレーム２６，２７は、何れも図２に示すように、円環部２６ａ，２７ａの内側に凹部２６ｂ，２７ｂが形成されており、円弧状のフレーム片２２ａ，２２ｂを凹部２６ｂ，２７ｂに挿入して挟持するようにしてもよい。
【００１６】
なお、図示を省略するが、円環部２６ａ，２７ａの外側に凹部が形成されており、円弧状のフレーム片２２ａ，２２ｂを凹部に外側から挿入して挟持してもよい。さらには、円環部２６ａ，２７ｂに凹部２６ｂ，２７ｂを設けないで、円弧状のフレーム片２２ａ，２２ｂの内側又は外側に凹部を設けて、円環部２６ａ，２７ａを当該凹部に内側又は外側から挿入して保持するようにしてもよい。
【００１７】
このように、縦フレーム２１と横フレーム２５とが組み合わされてフレーム体２０が構築される。フレーム体２０は、図示した形態ではあたかもグローブジャングルジムを呈している。
【００１８】
被吊り下げ物３０は、表面が鏡面加工されたオブジェであり、例えば図示するように球体のミラーボールからなる。被吊り下げ物３０は、上の連結部２３ａから可撓性部材３１、例えばワイヤーで吊り下げられている。可撓性部材３１の代わりに棒状部材でもよい。被吊り下げ物３０は球体に限らず四角形や三角形、筒体など各種の形状のものであってよく、自社が提供する商品又は商品見本、或いは宣伝媒体物品などを被吊り下げ物としてもよい。
【００１９】
縦フレーム２１には、上下に延びる円弧に沿ってＬＥＤライト４０が列を成すように取り付けられている。ＬＥＤライト４０を列状に取り付けるためには、ＬＥＤライト４０を配線と共にテープ状に形成して成る、いわゆるデジタルテープライトを用いるとよい。ＬＥＤライト４０は各格子窓の縁毎に同一色となるように取り付けられている。支持部１２には外部から電気配線により電力が供給され、その供給電力が支持部１２内のモータ４１の動力源となっている。駆動部１３には、ダウントランス（変圧器）４２を介在して電圧調整を行い、後述するようにフレーム体２０に取り付けたＬＥＤライト４０に電力供給する。支持部１２内には制御用の一又は複数種類の制御ユニット４３を内蔵しており、制御ユニット４３により各ＬＥＤライト４０に加わる電圧や流れる電流が制御されて発光がＯＮ／ＯＦＦ制御される。
【００２０】
さらに、図１に示す装飾体１において、所望の縁取りをしたプレート状の看板（図示しない）が取り付けられてもよい。これにより、装飾性をより高めることができる。看板には文字や絵が描かれ、装飾用のＬＥＤや特定の情報を示すためのＬＥＤライトが適宜配置される。
【００２１】
本考案の実施形態は図示した形態に限定されることなく、設置場所に応じてフレーム体、被吊り下げ物の何れか一方又は双方の形状が決定される。例えば、図示するようにフレーム体２０は球型とし、被吊り下げ物３０は表面が鏡となるよう光沢を有するようにしてもよい。この形態では、駆動体１０がフレーム体２０を回転すると、フレーム体２０が被吊り下げ物３０を同時に回転する。よって、縦フレーム２１の外向きに取り付けられた色とりどりのＬＥＤライトからの光が直接当たらないが、設置場所の照明等の光が弱く当たることで、不思議な空間を作り出すことができる。
【００２２】
被吊り下げ物３０は、例えば、円環体の内側に円盤を設け、被吊り下げ物３０がフレーム体２０の回転につれて、円環体や円盤が自由に回転するようにしてもよい。フレーム体２０は、地球儀のような略球型のみならず、動物や植物などの外形でもよい。
【符号の説明】
【００２３】
１：装飾体
１０：駆動体
１１：プレート
１２：支持部
１２ａ：係合部
１３：駆動部
２０：フレーム体
２１：縦フレーム
２２：フレーム
２２ａ，２２ｂ：フレーム片
２３ａ，２３ｂ：連結部
２３ｃ：凹部
２５：横フレーム
２６，２７：フレーム
２６ａ，２７ａ：円環部
２６ｂ，２７ｂ：凹部
３０：被吊り下げ物
３１：可撓性部材
４０：ＬＥＤライト
４１：モータ
４２：ダウントランス（変圧器）
４３：制御ユニット
【図１】
0003189481.tif 000003
【図２】
0003189481.tif 000004
【図３】
0003189481.tif 000005